(57)【要約】【課題】部品点数を少なくして錠箱の内部空間を有効的に活用する。また制動レバーが俊敏に機能するように構成する。【解決手段】施錠時、錠箱内に軸支された錠止レバーの先端部がラッチ部材を係止する扉用錠止機構に於いて、第２支軸にフリコストッパーの中央部を軸支し、このフリコストッパーは第２支軸に巻装したフリコバネのバネ力により所定の姿勢を保つように常時付勢された状態で錘部分を有する上端部側が錠箱内の支持部材に当接し、一方、下端部は錠止レバー５の先端部に設けた水平方向の当り部分と第１支軸との間の間隙に臨んでおり、加振時、該フリコストッパーが回転モーメントにより、所定の姿勢を崩したときに、俊敏に下端部が当り部分に立ちふさがって錠止レバーの解錠方向への回転を阻止する扉用錠止機構。【選択図】図１
2010180628.tif 000002
【特許請求の範囲】
【請求項１】
施錠時、錠箱内に第１支軸を介して軸支された錠止レバーの先端部がラッチ部材を係止する扉用錠止機構に於いて、前記第１支軸に対して上方に所定間隔離間した第２支軸に縦長状のフリコストッパーの中央部を軸支し、このフリコストッパーは、前記第２支軸に直接又は間接的に巻装したフリコバネのバネ力により所定の姿勢を保つように常時付勢された状態で錘部分或いは錘を有する上端部側が錠箱内の支持部材に当接し、一方、ストッパー機能を有する下端部は、前記錠止レバー５の先端部に設けた水平方向の当り部分と前記第１支軸との間の間隙に臨んでおり、錠箱に加振力が加わって、該フリコストッパーが回転モーメントにより、前記フリコバネ２９のバネ力に抗して前記所定の姿勢を崩したときに、俊敏に前記下端部が前記当り部分に立ちふさがって錠止レバーの解錠方向への回転を阻止することを特徴とする扉用錠止機構。
【請求項２】
請求項１に於いて、錘部分或いは錘は、フリコストッパーの上端部から水平方向或いは斜め方向に突出する錘部分又は錘部分に固定された錘であることを特徴とする扉用錠止機構。
【請求項３】
請求項１に於いて、錠箱内の支持部材は、施・解錠機構を構成するソレノイドの作動杆に連動する第１リンクを軸支する第１固定軸であることを特徴とする扉用錠止機構。
【請求項４】
請求項３に於いて、施・解錠機構を構成するソレノイドの作動杆が解錠方向へ移動したとき、錠止レバーは、リンク機構を介して第１支軸を支点に解錠方向へと回転し、この時、フリコストッパーの下端部は、前記錠止レバーの当り部分と前記第１支軸との間の間隙へと入り込むことを特徴とする扉用錠止機構。
【発明の詳細な説明】
【技術分野】
【０００１】
本発明は、扉用錠止機構に関し、特に、地震、振動等の外力が錠箱に加わった場合に於いて、ラッチ部材をロック状態に係止している錠止レバー（ロッキングアーム）が、ロック解除の方向へ回転することを抑止する制動部材を備えた扉用錠止機構に関する。
【背景技術】
【０００２】
特許文献１には、施錠時、錠箱２内に第１支軸７を介して軸支された錠止レバー８の先端部がラッチ部材１を係止する扉用錠止機構に於いて、前記錠止レバー８は、その重心が前記第１支軸７よりも前方に位置するように所定長の指先状に形成され、この指先形状錠止レバー８の短杆状の後端係合部８ｅには、ラッチ部材１の上辺よりも上方に位置する固定軸１２に基端部が軸支され、かつ折り曲げ部分を介して下方へとアーム状に延びる自由端部１４の後面が前記短杆状の後端係合部８ｅに係合する係止解除用制御レバー１３が配設され、さらに、前記錠止レバー８の基端部の近傍下方（錠箱の底壁側の空間）に第２支軸２２を介して全体の形状がＺ字形又はＬ字形の制動レバー２３が軸支され、該制動レバー２３の重心は、前記第２支軸２２よりも後方（錠箱の後壁側）に位置するように設定されていると共に、施錠時に於いて、錠箱に外部から振動が加わらない常態のときは、制動レバー２３の先端部側の前端がラッチ部材１の底面から所要量離れるように第２支軸２２に巻装された戻りばね２３に付勢され、一方、錠箱に外部から振動が加わったときには、先端部側の前端の動きにより、錠止レバー８の先端部がラッチ部材１の段差状係合部から離れるのを抑止するように衝撃力を打つ消す扉用錠止機構が開示されている。
【０００３】
上記構成は、本願発明と同一の目的を有するものであるが、例えば略Ｌ字形の制動レバー２３を錠止レバー８の基端部の近傍の下方（錠箱の底壁側の空間）に第２支軸２２を介して配設するものであるから、錠箱の下部側の空間を有効活用することができないという問題点があった。
【０００４】
付言すると、この種の扉用錠止機構は、特許文献１に記載のように、例えばホテルの扉用の自動施錠装置として使用され、普通一般に錠箱の下部側の空間にトリガー、ラッチ部材が錠箱内に後退したときに、トリガーに連動して該ラッチ部材を一時的に捕捉するストッパー部材、操作部材の操作力によって回転するハンドルカム等の部材が適宜に組み込まれている。したがって、ホテルの扉用の自動施錠装置の機能を阻害或いは前記各部材と干渉しないように、錠箱内に制動レバー２３を組み込まなければならないという難点があった（符号は特許文献のもの）。
【０００５】
また、特許文献１に記載の制動レバー２３は、全体の形状がＺ字形又はＬ字形に形成され、その先端部の上面で指先形状錠止レバー８の下面を受けて、重力の回転角運動により、いわゆる物理学上の回転摩擦抵抗により、指先形状の錠止レバー８からの衝撃力（運動エネルギー）を打つ消すものであるが、錠箱の底壁側の空間は、限られたスペースであることから、錠止レバー８の第２支軸２２から後方の後端部の形状及び長さがそれなりに限定され、その結果、制動レバー２３の制動機能を十分に発揮させることができないという問題点があった。
【０００６】
次に、特許文献２にも、本願発明と同一の目的を有する扉用錠止機構が記載されている。例えば特許文献２の図１には、ダルマの近傍に逆Ｌ字形状のハンマーレバー２２が配設され、該ハンマーレバー２２は、その下方先端部が支軸２３に軸支されていると共に、下辺でもって馬形状の駆動板１３のお尻に相当する後端傾斜面２６を押圧する事項が記載されている。
【０００７】
この特許文献２は、ハンマーレバー２２、すなわち、錠止レバー５用の制動レバー２２を錠箱の上部側の空間に配設するので、特許文献の問題点を解消することができる。
しかしながら、特許文献２の図１から明らかなように、ハンマーレバー２２は、ラッチ部材２の上方に位置する係合ピン２１及び馬形状の駆動板１３を介して錠止レバー５を間接的に抑止する構成なので、部品点数が多くなると共に、錠箱の上部側の空間を有効的に活用できないと問題点がある（符号は特許文献のもの）。
【先行技術文献】
【特許文献】
【０００８】
【特許文献１】特開２００６−９７４５６号公報
【特許文献２】特開２００７−３３２６４８号公報
【発明の概要】
【発明が解決しようとする課題】
【０００９】
本願発明の所期の目的は、錠止レバー及び制動レバーの構成及び配設箇所を工夫することにより、特許文献１及び特許文献２の問題点を解消すると共に、錠箱に振動が加わった時に俊敏にかつ確実に制動レバーを機能させることである。
【課題を解決するための手段】
【００１０】
本発明の扉用錠止機構は、施錠時、錠箱内に第１支軸４を介して軸支された錠止レバー５の先端部がラッチ部材２を係止する扉用錠止機構に於いて、前記第１支軸４に対して上方に所定間隔離間した第２支軸１５に縦長状のフリコストッパー２１の中央部２１ｂを軸支し、このフリコストッパーは、前記第２支軸に直接又は間接的に巻装したフリコバネ２９のバネ力により所定の姿勢を保つように常時付勢された状態で錘部分２１ｄ或いは錘２６を有する上端部２１ｃ側が錠箱内の支持部材３０に当接し、一方、ストッパー機能を有する下端部２１ａは、前記錠止レバー５の先端部に設けた水平方向の当り部分５ａと前記第１支軸４との間の間隙７に臨んでおり、錠箱１に加振力が加わって、該フリコストッパー２１が回転モーメントにより、前記フリコバネ２９のバネ力に抗して前記所定の姿勢を崩したときに、俊敏に前記下端部２１ａが前記当り部分５ａに立ちふさがって錠止レバー５の解錠方向への回転を阻止することを特徴とする。
【発明の効果】
【００１１】
（ａ）制動レバー２１が、その中央部２１ｂが錠止レバー用第１支軸４よりも上方に位置する第２支軸１５に軸支された振り子式であり、加振時に、その下端部２１ａが直接錠止レバー５の先端部を押え付けるので、特許文献１及び特許文献２の各問題点を解消する。また、錠箱に振動が加わった時に制動レバー２１が俊敏に姿勢を崩し、制動レバーをストッパー的に押え付けることができる。
（ｂ）請求項２に記載の発明は、制動レバーの機能の確実化を図ることができる。
（ｃ）請求項３に記載の発明は、施・解錠機構のリンク機構を構成する一つのリンク用支軸３０から加振力を得ることができる。付言すると、常態では、フリコストッパー２１は、その上端部２１ｃが錠箱に固定されているリンク用支軸３０に仮止めされていることから、加振時、フリコストッパー２１は、前記支軸３０からダイレクトに加振力を受けるので、その衝撃力が即座に上端部２１ｃ側の錘部分２１ｄに伝播し、比較的軽くバネ力を設定したフリコバネ２９のバネ力に抗して俊敏に傾倒する。また、加振力を付与するための特別な部材を錠箱内に設けなくても良い。
（ｄ）請求項４に記載の発明は、解錠時に於いて、錠止レバー５は、フリコストッパー２１からの摺接抵抗を受けることもなく、その回動に全く支障がない。
【図面の簡単な説明】
【００１２】
図１乃至図７は本発明の最良の実施例を示す各説明図。
【図１】施錠（錠止）状態における概略説明図。
【図２】主要部の概略説明図。
【図３】要部（錠止レバー５）の概略説明図。
【図４】要部（フリコストッパー２１）の概略説明図。
【図５】解錠時における概略説明図。
【図６】施錠（錠止）状態に於いて、加振時の概略説明図。
【図７】主要部の作用を示す概略説明図。
【発明を実施するための最良の形態】
【００１３】
図１乃至図７を参照にして発明を実施するための最良の形態を説明する。まず、図１は施錠（錠止）状態の概略説明図である。また、図２は施錠（錠止）状態における要部の概略説明図である。さらに、図３は要部（錠止レバー５）の概略説明図、図４は要部（制動レバーとしてのフリコストッパー２１）の概略説明図である。
【００１４】
施錠時、錠箱１内の中央部（中央部寄りも含む）に水平状態に設けられたラッチ部材（本実施例では、デットボルトの機能も兼ねる）２のラッチヘッド２ａは、錠箱１のフロント１ａから突出して戸枠３側の図示しない受け具に係入している。
【００１５】
この施錠状態に於いて、前記ラッチ部材２を構成する杆状のラッチボルト２ｂ及び枠状のラッチボード２ｃよりも上方に位置する第１支軸４に軸支された錠止レバー５の先端部（ここでは第１支軸よりも前方に延在する部分）は、ラッチヘッド２ａの後端面とラッチボード２ｃの固定前端面で形成された段差状の係合部６を係止している。
【００１６】
まず、本実施例の錠止レバー（ロッキングボード）５は、例えば図３で示すように、一枚の長板を水平並びに垂直方向に適宜に折り曲げて形成されている。すなわち、５ｂは錠止レバー５の中央部（中央部寄りも含む）に形成され、かつ手前の垂直側壁に環状に突出するボス部５ｃを有する軸孔で、この軸孔５ｂには第１支軸４が貫通する。
【００１７】
また、５ａは錠止レバー５の先端部の上辺に水平方向に設けられた突片状の当たり部分で、この当たり部分５ａは、前記ボス部５ｃ或いは第１支軸４に対して所定の間隙７を有している。当たり部分５ａは、例えば錠止レバー５の先端部の上部側を水平方向に略９０度折り曲げることによって形成されている。もちろん、当たり部分５ａの形状は任意に設計変更可能である。
【００１８】
また、５ｄは錠止レバー５の中央部の上辺から上方に親指状に延びた第１係合突片で、この第１係合突片５ｄには、例えば第１係合ピン８が固定的に設けられる。この第１係合突片５ｄを基準にして、左側の上辺部分５ｅには、ボス部５ｃにその中央部９ｂが巻装された錠止バネ９の一端部９ａが乗っかる。一方、右側の前記当たり部分５ａとは反対側（向こう側）に水平方向に折り曲げ形成された突片部分５ｆには、マイクロスイッチ１０の可動接片１０ａが当接する。
【００１９】
さらに、錠止レバー５の中央部に連設するやや幅広の後端部には、クリック手段１１を構成する回動板１２の係合部１２ａと係合する第２係合ピン１３を有する指先状の第２係合突片５ｇが設けられている。
【００２０】
前述した錠止バネ９の他端部９ｃは、図２で示すように、マイクロスイッチ１０の一側壁付近の不番支持ピンに圧接するので、錠止レバー５は、常にラッチ部材２の係合部６に係合する方向に付勢されている。
【００２１】
次に、本実施例の制動レバー２１は、例えば図４で示すように、縦長のフリコストッパー２１が採用されている。このフリコストッパー２１は、第１支軸４に対して所定間隔離間して上方に位置する第２支軸１５に、その中央部２１ｂが軸支されている。図４を参照にして、フリコストッパー２１の構成を説明する。２１ｂは中央部（中央部寄りも含む）、２１ａは中央部から下方へ略ストレートに延びる下端部、一方、２１ｃは中央部から一部折り曲げ形成され或いは折り曲げ形成されないで上方へ略ストレートに延びる上端部、２１ｄは前記上端部から錠箱１の後壁１ｂ側へ水平方向あるいは斜め方向に延びる板状の錘部分である。
【００２２】
しかして、前記中央部２１ｂには、錠止レバー５と同様に手前の垂直側壁に環状に突出するボス部２２を有する軸孔２３が形成され、該軸孔２３には第２支軸１５が貫通する。また、前記ボス部２２付近のフリコストッパー２１のフロント１ａと対向する一辺には、その中央部２９ｂが巻装されたフリコバネ２９の一端部２９ａを受けるバネ受け部分２４が手前側に設けられている。なお、フリコバネ２９の他端部２９ｃも、マイクロスイッチ１０の一側壁付近の不番支持ピンに圧接している。
【００２３】
また、前記下端部２１ａは、本実施例では、錠箱１に振動が加わり、該フリコストッパー２１に該振動が印加すると、錠止レバー５の解錠方向への回転を阻止するストッパーの機能を果たす。そこで、下端部２１ａはやや幅広く形成され、ストッパー部分としての下端面は、例えば指先状、弧状、面状、下向き小凸状等適宜の形状に形成される。また、前記上端部２１ｃのフロント１ａと対向する一辺はやや切欠され、該切欠面２５は、錠箱内の支持部材３０に当接する。
【００２４】
ところで、前記支持部材３０は、本実施例では、図１で示すように施・解錠機構を構成する駆動源（ソレノイド）３１の作動杆３２に連動する第１リンク３３を軸支する第１固定軸である。この第１固定軸３０の外面に切欠面２５が当る。さらに、前記板状の錘部分２１ｄの上面には、錘２６がネジ止めされている。
【００２５】
したがって、制動レバーとしてのフリコストッパー２１は、その中央部２１ｂが第２支軸１５に回転自在に軸支され、該フリコストッパー２１は、第２支軸に直接又は間接的に巻装したフリコバネ２９のバネ力により所定の姿勢を保つように常時付勢された状態で錘部分２１ｄ或いは錘２６を有する上端部２１ｃ側が錠箱１内の支持部材３０に当接し、一方、ストッパー機能を有する下端部２１ａは、フリコストッパー２１よりも下方に位置する錠止レバー５の先端部の当り部分５ａと錠止レバー用第１支軸５或いはボス部５ｃとの間の間隙７に臨んでおり、錠箱１に加振力が加わって、該フリコストッパー２１が回転モーメントにより、フリコバネ２９のバネ力に抗して前記所定の姿勢を瞬時に崩したときに、前記下端部２１ａが前記当り部分５ａに立ちふさがって錠止レバー５の解錠方向への回転を阻止する（図６、図７参照）。
【００２６】
付言すると、錠箱１に外部からの加振力が作用した時、該加振力によって錠止レバー５が第１支軸４を支点にその先端部５ａがラッチ部材２の係合部６から離間する方向へ移動しようとしても、錠止レバー５の当り部分５ａが、やや傾倒状態のフリコストッパー２１の下端部２１ａに抑止あるいは制動される。
【００２７】
次に、図５を参照にして施・解錠機構の構成部材について簡単に説明する。本実施例の扉用錠止機構Ｘは、例えば電気錠に適用している。したがって、施・解錠機構は、錠箱１内の上部空間に横設されたソレノイド３１と、該ソレノイドの作動杆３２と、この作動杆の先端部に接続する縦方向の第１リンク３３と、この第１リンク３３の下端部と錠止レバー５の第１係合突片５ｄに上下の端部がそれぞれ連結或いは係合する第２リンク３４とから成る。
【００２８】
第１リンク３３と錠止レバー５との間に介在する前記第２リンク３４の中央部は第２支軸１５に軸支されている。なお、扉用錠止機構Ｘの適用は、電気錠如何を問わないので、その他の施・解錠機構に関する公知・新規の事項の図面及び説明は割愛する。
【００２９】
上記施・解錠機構に於いて、図１で示す施錠時、ソレノイド３１の作動杆３２は、矢印方向（フロント側）へ伸長する。そうすると、錠止レバー５は、リンク機構（第１リンク３３と第２リンク３４）を介して、かつ錠止バネ９のバネ力に抗して施錠（ロック）方向に所定量回転し、その先端部がラッチ部材６の係合部６に係合する。
【００３０】
しかして、扉用錠止機構Ｘを構成するフリコストッパー２１は、錠箱１に振動が加わらない常態時、上端部２１ｃが支持部材３０に仮止めされた常態でその下端部２１ａが錠止レバー５の当り部分５ａとボス部５ｃの間隙７に臨んでいるので、駆動源３１からの解錠方向の力、又は図示しない操作部材の操作力に基づく解錠方向の力が錠止レバー５に作用しても全く支障がない。
【００３１】
すなわち、図５で示すように、解錠時、ソレノイド３１の作動杆３２が解錠方向（矢印で示す伸縮方向）へ移動したとき、錠止レバー５は、リンク機構３３、３４を介して第１支軸４を支点に解錠方向（時計方向）へと回転しても、フリコストッパー２１の下端部２１ａは、前記間隙７へと入り込む。なお、ラッチ部材２の構成（ラッチヘッド２ａ、ラッチボルト２ｂ、ラッチボード２ｃ、ラッチ付勢用バネ、バネ受け片等）は、周知事項なので、詳細な説明は割愛する。また、例えば図１において、４０はラッチ部材２の下方に配設したトリガー、５０はラッチ部材２よりも上方に位置するクリック手段１１と係合するように錠箱１の上部空間に配設したダルマである。
【実施例】
【００３２】
発明の実施の形態で示した実施例に於いて、錠止レバー（ロッキングボード）５は、その先端部がラッチ部材２の係合部６に直接係合するが、第１支軸４に図示しない係止レバー（錠止レバーと共働する係止片）を介して間接的に係合しても良い。
【００３３】
また、フリコストッパー用のフリコバネ２９のバネ力は、錠止レバー５用の錠止バネ９のバネ力よりも弱く設定されているが、常態では、支持部材（例えば固定軸）３０に略垂直状態に当接するようにフリコストッパー２１を初期位置（略垂直状態の姿勢位置）へと付勢するバネ力を有する。
【００３４】
また、フリコストッパー２１の上端部２１ｃから水平方向（本実施例）或いは斜め方向に突出する板状の錘部分２１ｄに錘２６が固定されているが、板状錘部分２１ｄの重量如何によっては、錘２６は不要である。
【００３５】
なお、図１、図５及び図６に於いて、錠箱１の下部側には、トリガー４０、ラッチ部材２が錠箱１内に後退したときに、前記トリガー４０に連動して該ラッチ部材２を一時的に捕捉するストッパー部材、操作部材の操作力によって回転するハンドルカム等の部材が適宜に組み込まれているが、錠箱１の下部側に組み込まれるこれらの部材やラッチ部材用捕捉機構は、本発明の特定要件ではないので省略してある。
【産業上の利用可能性】
【００３６】
本発明は、主に錠前や建具の分野で利用される。
【符号の説明】
【００３７】
Ｘ…扉用錠止機構、1…錠箱、１ａ…フロント、２…ラッチ部材、２ａ…ラッチヘッド、４…第１支軸、５…錠止レバー、５ａ…当たり部分、５ｂ…軸孔（中央部）、５ｃ…ボス部、５ｄ…第１係合突片、５ｆ…突片部分、５ｇ…第２係合突片、６…係合部、７…間隙、９…錠止バネ、１０…マイクロスイッチ、１０ａ…可動接片、１１…クリック手段、１２…回動板、１２ａ…係合部、１５…第２支軸、２１…フリコストッパー、２１ａ…下端部、２１ｂ…中央部、２１ｃ…上端部、２１ｄ…錘部分、２２…ボス部、２４…バネ受け部分、２５…切欠面、２６…錘、２９…フリコバネ、３０…支持部材、３１…駆動源（ソレノイド）、３２…作動杆、３３…第１リンク、３４…第２リンク。
【図１】
2010180628.tif 000003
【図２】
2010180628.tif 000004
【図３】
2010180628.tif 000005
【図４】
2010180628.tif 000006
【図５】
2010180628.tif 000007
【図６】
2010180628.tif 000008
【図７】
2010180628.tif 000009